(57)【特許請求の範囲】
【請求項１】
所定の回転軸を中心に回転させて得られる回転体形状の内面を備え，光の照射方向前方に開放した開口部を有する全体として略碗形に形成されたリフレクタと，前記リフレクタ内に配置された光源を備えた屋内照明器具において，
前記光源を，基板の片面に複数のＬＥＤ素子を集合的に取り付けて形成した発光部を備えるＬＥＤ面光源で構成すると共に，前記発光部を前記リフレクタの開口部に向けて配置し，
前記リフレクタの回転体形状の内面は，前記ＬＥＤ面光源の後方に位置する第１回転放物面と，該第１回転放物面周縁部乃至はその前方位置から前記開口部に至る第２回転放物面とで形成し，
前記発光部の中心を前記第２回転放物面の焦点に配置すると共に，
前記発光部に対向して前記発光部からの照射光を前記第１回転放物面に向けて反射する反射面を備えた反射板を設け，該反射板の前記反射面に，中心部が前記光源方向に膨出する断面略円弧状に形成された中央部と，この中央部の外周縁を前記開口部方向に窪ませた凹条を成す断面略円弧状の周縁部を設け，該反射板の前記反射面の中心を，前記第１回転放物面の焦点に配置したことを特徴とする，ＬＥＤ光源を有する屋内照明器具。
【請求項２】
前記回転軸を通る断面において，前記リフレクタの開口部の一端と前記発光部の一端，及び前記リフレクタの開口部の他端と前記発光部の他端間をそれぞれ結ぶ，交叉する２本の直線上，又は，前記２本の直線の交点に対し前方側における前記２本の直線間に前記反射板の周縁部を配置したことを特徴とする請求項１記載のＬＥＤ光源を有する屋内照明器具。
【請求項３】
前記リフレクタの開口部前方を延長する略円筒状のフードを設け，前記回転軸を通る断面において，前記フードの前方側開口部の両端と前記発光部の両端とを角部とする台形の斜辺を成す２本の線上，又は該２本の線間の空間に対し外側に前記反射板の周縁部を配置したことを特徴とする請求項１又は２記載のＬＥＤ光源を有する屋内照明器具。
【請求項４】
前記回転軸を通る断面において，前記発光部の両端と前記第２回転放物面の後方側端部の両端を角部とする台形の斜辺を成す２本の線を延長して交叉させた際の交叉角を，発光部の光の拡散角度以上となるよう形成したことを特徴とする請求項１〜３いずれか１項記載のＬＥＤ光源を有する屋内照明器具。
【請求項５】
前記反射板の中央部は，中心部が光源方向に膨出する複数半径の断面略円弧状に形成され，前記周縁部は，前記中央部の外周縁を，前記開口部方向に同じく凹条を成す，複数半径の断面略円弧状に穿設形成したことを特徴とする請求項１〜４いずれか１項記載のＬＥＤ光源を有する屋内照明器具。
【発明の詳細な説明】
【技術分野】
【０００１】
本発明はＬＥＤ光源を備える屋内照明器具に関し，より詳細にはＬＥＤ光源からの照射光を拡散光に制御して，ＬＥＤ光源にもかかわらず，淡い集光型の配光を得ることのできる，ＬＥＤ光源を備えた屋内照明器具に関する。
【背景技術】
【０００２】
従来，光源として使用されている白熱電球や蛍光灯に比較して，ＬＥＤは同じ照度をより低い消費電力で得ることができると共に，白熱電球や蛍光灯に比較して長寿命であることから，白熱電球や蛍光灯に代わりＬＥＤ光源を備えた屋内照明器具も普及しつつある。
【０００３】
ここで，白熱電球や蛍光灯等を光源として使用した既知の一屋内照明器具において，光源の光が直接視界に入る場合には不快な眩しさを感じることから，例えば図７に示すように屋内照明器具にシェードやコーン等の遮光体１１１を取り付けることにより，角度Ｘの範囲において光源１１２が直接視界に入らないようにする，所謂「カットオフアングル」が設定されており，ＬＥＤを光源とした屋内照明器具においても同様の方法により光源１１２が直接視界に入らないようにすることで，不快な眩しさの発生を防止することができる。
【０００４】
また，前述したように光源が直接視界に入ることによる不快さを防止するための別の方法としては，一例として図８に示すようにルーバー２０７に取り付けたＬＥＤ２０９を反射器２０５の反射面に向けて配置し，反射器２０５で反射した反射光を照明に使用することで前述した不快な眩しさを感じないようにすることも提案されている（特許文献１参照）。
【先行技術文献】
【特許文献】
【０００５】
【特許文献１】特表２００９−５１６３３０号公報
【発明の概要】
【発明が解決しようとする課題】
【０００６】
以上で説明した防眩方法のうち所定のカットオフアングルを設ける方法は，屋内照明器具の用途や設置場所に応じて適切にカットオフアングルを設定することで，下から屋内照明器具を見上げる等の特別な動作をした場合を除き，光源からの光が直接視界に入り込むことを防止できる。
【０００７】
しかし，この方法では，光源より発せられた光のうち遮光体１１１によって遮られた光は照明に有効に利用されておらず，その結果，光を得るために消費されたエネルギーの一部が無駄に消費されることとなる。
【０００８】
しかもこの方法では，遮光体１１１によって遮られることなく遮光体１１１の下端開口部を通過した光源１１２からの直接光で照明を行おうというものであり，このような屋内照明器具において白熱電球等に代えてＬＥＤ光源を採用すると，照明光による照明範囲内に多数の明部と暗部とがまだらに混在する，所謂「マルチシャドー」が発生する。
【０００９】
すなわちＬＥＤを光源として使用する場合を想定すると，単一のＬＥＤ素子の使用では必要な明るさを得難いために，屋内照明器具の光源としてＬＥＤを使用する場合には，樹脂基板等に多数のＬＥＤ素子を集合状態で取り付けた，所謂「ＬＥＤパッケージ」と呼ばれるものが使用される。
【００１０】
しかし，このＬＥＤパッケージでは，ＬＥＤ素子の数だけ微細な光源が存在している構造となるために，ＬＥＤパッケージからの直接光を壁や床等に投影した場合，その投影面にはＬＥＤ素子の取付位置に対応する明部と，ＬＥＤ素子間の位置に対応して表れる暗部が混在する，前述したマルチシャドーが生じるものとなっている。
【００１１】
これに対し，図８を参照して説明した特許文献１に記載の屋内照明器具のように，ルーバー２０７に取り付けたＬＥＤ２０９を反射器２０５に向けて配置し，反射器２０５による反射光を照明に利用する場合には，光源であるＬＥＤ２０９が直接視界に入ることを防止でき，不快な眩しさが低減される。
【００１２】
また，このように反射光を照明に利用することで，ＬＥＤ２０９からの直接光を照明に使用する場合に比較して照射光の制御を行い易く，例えば反射器２０５の反射面に微細な凹凸を付ける等して反射率の低下と乱反射を生じさせることで，明暗部の境界を無くし，前述したマルチシャドーを解消することも考えられる。
【００１３】
しかし，上記特許文献１に記載の構成において，光源で発生した光の全量近くを効率良く照明に利用するためには，反射器２０５の反射面を高反射率の表面，例えば鏡面等として形成する必要があり，マルチシャドーの発生防止と，光源の光を効率良く利用することは，相反する課題であり両立することが難しい。
【００１４】
しかも，反射光を効率良く利用するために，反射器２０５の反射面を鏡面等として構成した屋内照明器具では，光源が直接視界に入る場合のみならず，反射器２０５の反射面で反射した光が視界に入ることによっても不快な眩しさを感じることとなるために，このような不快な眩しさを低減するためには，反射器２０５の開口部を，前方を延長するようにコーンやシェード等の遮光体で覆って，反射器で反射した反射光の一部をカットするか，又は，反射器２０５の反射面を鏡面等の高反射率に形成することを断念する必要があり，防眩性の付与と，光源の光を効率良く照明に利用するという課題も相反するものとなっており，両立が難しい。
【００１５】
その一方で，環境保全や資源の有効利用等に対する消費者の感覚が鋭敏化した今日にあっては，屋内照明器具においても，必要な明るさ，その他の性能の確保と同時に，より省電力で環境負荷の小さいものであることが要求されている。
【００１６】
そこで本発明は，上記従来技術における欠点を解消するために成されたものであり，ＬＥＤ光源を有する屋内照明器具において，マルチシャドーの発生防止，必要な防眩性能の付与した構成でありながら，光源からの光を損失なく極めて高い効率で実現しながら，より少ない電力で必要な明るさを得ることができる，ＬＥＤ光源を有する屋内照明器具を提供することを目的とする。
【課題を解決するための手段】
【００１７】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の特許請求の範囲の技術的範囲の解釈に制限的に用いられるものではない。
【００１８】
上記目的を達成するために，本発明のＬＥＤ光源を有する屋内照明器具１は，所定の回転軸Ｏを中心に回転させて得られる回転体形状の内面を備え，光の照射方向前方に開放した開口部３５を有する全体として略碗形に形成されたリフレクタ３と，前記リフレクタ３内に配置された光源４を備えた屋内照明器具１において，
前記光源４を，基板の片面に複数のＬＥＤ素子を集合的に取り付けて形成した面光源を成す発光部４１を備えるＬＥＤ光源（以下，本明細書において，「ＬＥＤ面光源」という）で構成すると共に，前記発光部４１を前記リフレクタ３の開口部３５に向けて配置し，
前記リフレクタ３の回転体形状の内面は，前記ＬＥＤ面光源４の後方に位置する第１回転放物面３２と，該第１回転放物面３２の周縁部乃至はその前方位置から前記開口部３５に至る第２回転放物面３３とで形成し，
前記発光部４１の中心を前記第２回転放物面３３の焦点ｆ２に配置すると共に，
前記発光部４１に対向して前記発光部４１からの照射光を，前記第１回転放物面３２に向けて反射する反射板６を設ける。この反射板６の反射面６１は，中心部が光源４方向に膨出する断面略円弧状に形成された中央部６２と，この中央部６２の外周縁を前記開口部３５方向に窪ませた凹条を成す断面略円弧状の周縁部６３を備え，前記反射板６の反射面６１の中心を，前記第１回転放物面３２の焦点ｆ１に配置したことを特徴とする（図１，図３参照：請求項１）。
【００１９】
なお，本明細書において特に断りのない限り「前方」及び「後方」は，屋内照明器具１による光の照射方向に対応する。
【００２０】
前記回転軸Ｏを通る断面において，前記リフレクタ３の開口部３５の一端３５ａと前記発光部４１の一端４１ａ，及び前記リフレクタ３の開口部３５の他端３５ｂと前記発光部の他端４１ｂ間をそれぞれ結ぶ，交叉する２本の直線Ｌ３，Ｌ４を想定し，この直線Ｌ３，Ｌ４上，又は，前記２本の直線Ｌ３，Ｌ４の交点に対し前方側における前記２本の直線Ｌ３，Ｌ４間に前記反射板６の周縁部が位置するように構成することができる（図３参照：請求項２）。
【００２１】
特に，前記リフレクタ３の開口部３５前方を延長する略円筒状のフード７を設けた構成にあっては，前記回転軸Ｏを通る断面において，前記フード７の前方側開口部７１の両端７１ａ，７１ｂと前記発光部４１の両端４１ａ，４１ｂとを角部とする台形の斜辺を成す２本の線Ｌ５，Ｌ６上，又は該２本の線Ｌ５，Ｌ６間の空間に対し外側に前記反射板６の周縁部が位置するように構成することが好ましい（図３参照：請求項３）。
【００２２】
更に，前記回転軸Ｏを通る断面において，前記発光部４１の両端４１ａ，４１ｂと前記第２回転放物面３３の後方側端部３７の両端３７ａ，３７ｂを角部とする台形の斜辺を成す２本の線Ｌ１，Ｌ２を延長して交叉させた際の交叉角θ（実施形態において１２０°）を，発光部４１の光の拡散角度（実施形態おいて１２０°）以上となるよう形成することが好ましい（図３参照：請求項４）。
【００２３】
また，前記反射板６の中央部６２は，中心部が光源方向に膨出する複数半径の断面略円弧状に形成され，前記周縁部６３は，前記中央部６２の外周縁を，前記開口部３５方向に同じく凹条を成す，複数半径の断面略円弧状に穿設形成することができる。
【発明の効果】
【００２４】
以上で説明した本発明の構成により，本発明の照明器具屋内照明器具１によれば，以下の顕著な効果を得ることができた。
【００２５】
第２回転放物面３３の焦点ｆ２上に中心が配置された発光部４１からの照射光のうち，直接，第２回転放物面３３に入射した光は，第２回転放物面３３によって拡散光として制御されて，屋内照明器具１の前方に照射される。
【００２６】
一方，発光部４１の前方に設けた反射板６により，ＬＥＤ面光源４からの光が直接，屋内照明器具１外に照射されることが防止されていると共に，反射板６によって遮られた光についても，前記反射板６によって，第１回転放物面３２にも反射され，屋内照明器具１の前方に照射される。
【００２７】
その結果，照明光として光源からの直接光を使用せず，反射光を利用するものでありながら，第１回転放物面３２で反射した反射光と，第２回転放物面３３で反射した反射光との合成によって照明を行うものであるために，光源からの光を損失なく利用することができ，しかも，複数種の反射光を合成して照射することにより明暗が均一化し，マルチシャドーの発生を好適に防止することができた。
【００２８】
特に前記回転軸Ｏを通る断面において，前記リフレクタ３の開口部３５の一端３５ａと前記発光部４１の幅方向一端４１ａ，及び前記リフレクタ３の開口部３５の他端３５ｂと前記発光部の他端４１ｂ間を結ぶ，交叉する２本の直線Ｌ３，Ｌ４上，又は，前記２本の直線Ｌ３，Ｌ４の交点に対し前方側における前記２本の直線Ｌ３，Ｌ４間に前記反射板６の周縁部を配置した構成にあっては，発光部４１より照射された光のうち，リフレクタ３の第２回転放物面３３に入射する光を反射板６で遮ることがなく，リフレクタ３の第２回転放物面３３による集光作用を好適に発揮させることができた。
【００２９】
更に，前記リフレクタ３の開口部３５前方を延長する略円筒状のフード７を設け，前記回転軸Ｏを通る断面において，前記フード７の前方側開口部７１の両端７１ａ，７１ｂと前記発光部４１の両端４１ａ，４１ｂとを角部とする台形の斜辺を成す２本の線Ｌ５，Ｌ６上，又は該２本の線Ｌ５，Ｌ６間の空間に対し外側に前記反射板６の周縁部を配置した構成にあっては，前記フード７によってリフレクタ３による反射光が視界に入ることなく，不快な眩しさが防止されているだけでなく，反射板６によって発光部４１からの直接光が照明光として出力されることを確実に防止することができた。
【００３０】
特に反射板６の周縁部が，前記線Ｌ５，Ｌ６間の空間よりも外側に配置されるように，反射板６のサイズを拡大（但し，最大で線Ｌ３，Ｌ４上迄）した場合には，フード７の内壁に入射する光についても反射板６で反射して照明に利用することができ，ＬＥＤ面光源４の光をより効率的に利用することができた。
【００３１】
なお，前記回転軸Ｏを通る断面において，前記発光部４１の両端４１ａ，４１ｂと前記第２回転放物面３３の後方側端部３７の両端３７ａ，３７ｂを角部とする台形の斜辺を成す線Ｌ１，Ｌ２を延長した際の交点の角度θ（実施形態において１２０°）を，発光部４１の光の拡散角度（実施形態において１２０°）以上となるよう形成した構成では，発光部より広角で照射された光についても確実に第２回転放物面によって制御して照明に利用することができた。
【図面の簡単な説明】
【００３２】
【図１】本発明の屋内照明器具の（Ａ）は各部材の配置説明図，（Ｂ）は反射板の拡大断面図。
【図２】ＬＥＤ支持部の底面図。
【図３】各部（ＬＥＤ光源，リフレクタ，反射板）の配置を示す説明図。
【図４】第２回転放物面による反射状態の説明図。
【図５】反射板及び第1回転放物面による反射状態の説明図。
【図６】反射板にファセット加工によるディンプルを備えた屋内証明器具の断面説明図。
【図７】従来の屋内照明器具におけるカットオフアングルの説明図。
【図８】従来の屋内照明器具（特許文献１）の説明図。
【発明を実施するための形態】
【００３３】
次に，添付図面を参照しながら本発明の屋内照明器具について説明する。
【００３４】
〔屋内照明器具の全体構造〕
図１〜５は，屋内照明器具１の一例としてスポットライトに本発明の構成を適用した例である。
【００３５】
図１（Ａ）に示すように，この屋内照明器具１は，屋内照明器具１の本体部分を成すボディ５と，このボディ５に取り付けた光源支持体２及び略碗形状のリフレクタ３，前記光源支持体２に取り付けられて前記リフレクタ３の凹部３１内の所定の位置に配置されるＬＥＤ面光源４，前記ＬＥＤ面光源４の前方に対峙して反射板６を設ける。この反射板６は，前記回転放物面３２，３３の放物面あるいは，回転楕円とは異なり，図１（Ｂ）に示すように，中心部が光源方向に膨出する複数半径の断面略円弧状に形成された中央部６２と，この中央部６２の外周縁を，前記開口部３５方向に同じく凹条を成す，複数半径の断面略円弧状に穿設形成した周縁部６３から成り，この反射板６，及び，前記リフレクタ３の開口部３５を前方に延長するように取り付けられた略円筒状のフード７を備えている。
【００３６】
前述したボディ５は，リフレクタ３の開口部３５外周を包囲してリフレクタ３を固定する円筒部５１と，前述の光源支持体２が取り付けられる光源支持体取付部５２を備えており，この円筒部５１と光源支持体取付部５２とを複数のリブ５３で連結して形成されており，図１に示すように，前述した円筒部５１内にリフレクタ３を取り付けた状態で，光源支持体取付部５２に設けた嵌合孔５４内に光源支持体２を，ＬＥＤ支持部２１を下向きにして挿入すると，光源支持体２が前記嵌合孔５４内の所定の位置に係止されて，ＬＥＤ支持部２１に取り付けたＬＥＤ面光源４を，リフレクタ３内の所定の位置に配置できるようになっている。
【００３７】
また，このようにして円筒部５１にリフレクタ３を取り付けた状態で，このボディ５の円筒部５１に，前述した円筒状のフード７を取り付けることにより，フード７の内壁がリフレクタ３の開口部３５を延長するようにその前方を円筒状に包囲するようになっており，このようにしてフード７を取り付けることにより，ＬＥＤ面光源４やリフレクタ３の反射面を，直接視界に入り難いものとしている。
【００３８】
本発明の屋内照明器具において，前述のＬＥＤ面光源４は，例えば樹脂基板等の片面における所定の範囲内に複数のＬＥＤ素子を集合的に取り付けて，このＬＥＤ素子の取り付け範囲全体が発光部４１として機能するように構成したものであり（図２参照），このＬＥＤ面光源４の発光部４１は，これを円形に形成することが好ましい。
【００３９】
このようなＬＥＤ面光源４は，前述した発光部４１の形成面を図１中下向きとして，光源支持体２のＬＥＤ支持部２１に取り付けられており，これによりボディ５内及びリフレクタ３の凹部３１内の所定の位置にＬＥＤ面光源４を配置することができるようになっている。
【００４０】
このようにＬＥＤ面光源４を収容するリフレクタ３の内周面は，図１に示すように回転軸Ｏを中心に回転させて得られる回転体形状である，全体として碗形に形成されており，このリフレクタ３の内周面によってＬＥＤ面光源４からの光を反射して前方に照射することができるように鏡面等として構成されている。
【００４１】
このリフレクタ３の内周面は，前述したＬＥＤ面光源４の後方に配置された第１回転放物面３２と，この第１回転放物面３２の周縁部，乃至はその前方から開口部３５に至り設けられた第２回転放物面３３を備えている（図１及び図３参照）。
【００４２】
このうちの第２回転放物面３３は，図３に示すように回転軸Ｏを通る断面において，発光部４１の両端４１ａ，４１ｂから第２回転放物面３３の後方側端部３７の両端３７ａ，３７ｂを結ぶ２本の線Ｌ１，Ｌ２を引いた際，この２本の線Ｌ１，Ｌ２の交叉角θが，ＬＥＤ面光源４の照射角以上となるように形成し，照射角が１２０°のＬＥＤ面光源４を使用した本実施形態にあっては，前記線Ｌ１，Ｌ２の交叉角度θを一例として１２０°とした。
【００４３】
なお，図示の実施形態にあっては，前述の第１回転放物面３２の周縁部と，第２回転放物面３３の上端縁とを連結部３４を介して連結した一体的な形状に形成することで，これを例えば一枚の金属板をプレス乃至は絞り成形することにより形成することができるようにしているが，前述した第１回転放物面３２と第２回転放物面３３とをそれぞれ別体として形成し，これらをボディ５内の所定の位置に取り付けることにより，これらの組合せによって全体として前述した碗形のリフレクタ３が形状されるように構成しても良い。
【００４４】
このリフレクタ３の前記第１回転放物面３２の中央位置には，前述した光源支持体２の下端部が挿入される挿孔３６が設けられており，この挿孔３６内に光源支持体２の下端を挿入することで，発光部４１の中心が第２回転放物面３３の焦点ｆ２上に位置するようにＬＥＤ面光源４をリフレクタ３内に配置できるように構成している。
【００４５】
前述したリフレクタ３内には，更に，前記ＬＥＤ面光源４の発光部４１と対向して前記反射板６が設けられており，この反射板６によって，ＬＥＤ面光源４からの光が直接屋内照明器具１外に放出されることが防止されていると共に，反射板６の反射面６１によって，このようにして遮った光をリフレクタ３の第１回転放物面３２に向けて反射させることができるようにしている。
【００４６】
この反射板６のＬＥＤ面光源４との対向面に形成した反射面６１は，その中心が第１回転放物面３２の焦点ｆ１上に配置され，前述のように，中央部６２と，この中央部６２の外周縁に形成した周縁部６３の少なくとも光源４方向を鏡面等として形成する。
【００４７】
この反射面６１は，好ましくはＬＥＤ光源より入射した光がＬＥＤ面光源４，光源支持体２のＬＥＤ支持部２１，連結部３４，及び第２回転放物面３３に向かって可及的に反射されないようにするために，前述のように，図１（Ｂ）に示すように，中心部が光源方向に膨出する複数半径（図示の例では半径の一部であるＲ１，Ｒ２を示す）の断面略円弧状に形成された中央部６２と，この中央部６２の外周縁に連続形成された前記開口部３５方向に同じく凹条を成す，複数半径（図示の例では一部であるＲ３，Ｒ４を示す）の断面略円弧状の周縁部６３に形成することが好ましい。
【００４８】
図１（Ｂ）は，前記中央部６２及び周縁部６３の詳細を示すと共に，前記光源からの光を拡散反射する機構を示すと共に，図６に第１回転放物面３２と，第２回転放物面３３に外周が密接して突出する多数のディンプルＤを形成する所謂ファセット加工を施したリフレクタ３を示す。
【００４９】
前述のフード７は，図示の実施形態にあってはリフレクタ３の開口部３５周縁を前方に延長する円筒状のものとして形成しているが，このフード７は，例えば裁頭円錐状に形成したコーン等として形成するものとしても良い。
【００５０】
このフード７の開口部７１の内周には，図１及び図３に示すように鋸歯状の凹凸部７２を設けており，開口部７１の内縁に入射した光を乱反射させて，開口縁が光って見えることを防止している。
【００５１】
なお，前述した反射板６は，前記回転軸Ｏを通る同一平面上において，前記リフレクタ３の開口部３５の一端３５ａと前記発光部４１の幅方向一端４１ａ，及び前記リフレクタ３の開口部３５の他端３５ｂと前記発光部の他端４１ｂ間を結ぶ，交叉する２本の直線Ｌ３，Ｌ４上，又は，前記２本の直線Ｌ３，Ｌ４の交点に対し前方側における前記２本の直線Ｌ３，Ｌ４間に前記反射板６の周縁部が配置されるようにすることが好ましく，更に前記リフレクタ３の開口部３５前方を延長する前述したフード７を設ける場合には，フード７の開口部７１の両端７１ａ，７１ｂと前記発光部４１の両端４１ａ，４１ｂとを角部とする台形の斜辺を成す２本の線Ｌ５，Ｌ６上，又は該２本の線Ｌ５，Ｌ６間の空間に対し外側に前記反射板６の周縁部を配置することが好ましい。
【００５２】
〔作用等〕
以上のように構成された屋内照明器具１において，ＬＥＤ面光源４より照射された光のうち，前述した線Ｌ３，Ｌ４の交点に対し前方側における線Ｌ３，Ｌ４間の空間の外側，すなわち，リフレクタ３の第２回転放物面３３に入射する光は，この第２回転放物面３３によって反射され，屋内照明器具１の前方に向けて照射される（図３，図４参照）。
【００５３】
第２回転放物面３３の焦点ｆ２を通り，第２回転放物面３３に入射した光は，この回転放物面によって拡散光として反射されることから，前述した第２回転放物面３３の焦点ｆ２上に発光部４１の中心を配置したＬＥＤ面光源４からの光は，発光部４１の有する幅に対応したずれが生じるものの，焦点ｆ２乃至はその近傍を通る光であり，第２回転放物面３３によって拡散光として反射，制御されて屋内照明器具１の前方に照射される。
【００５４】
一方，図３において線Ｌ５，Ｌ６内の光は，前述したリフレクタ３の第２回転放物面３３に入射されることなく，且つ，フード７の内壁に対しても入射されない光であり，反射板６が存在しない場合には，屋内照明器具１の前方に光源からの直接光として照射される光である。
【００５５】
しかし，この線Ｌ５，Ｌ６間の空間を通る光は，全て反射板６に入射させることができるようになっており，この反射板６によってＬＥＤ面光源４からの直接光が照射されることを規制している。
【００５６】
一方，このようにして反射板６で遮られた光は，反射板６に設けた反射面６１によって面光源４の後方に配置された第１回転放物面３２に向かって反射される。
【００５７】
前述した反射板６の反射面６１は，その中心が第１回転放物面３２の焦点ｆ１上に配置されていることから，この反射板６によって反射され，第１回転放物面３２に入射した光は，この第１回転放物面３２の焦点ｆ１，又はその近傍より第１回転放物面３２に入射されることとなる。
【００５８】
そのため，焦点ｆ１からのずれに対応したずれにより，第１回転放物面３２によって反射された光は，拡散光として前方に向かって照射され（図５参照），前述した第２回転放物面３３によって反射された光（図４参照）と合成されて照明光を形成する。
【００５９】
その結果，照明光としてＬＥＤ面光源４からの直接光を使用せず，且つ，第２回転放物面３３で反射された光と，反射板６を介して第１回転放物面３２で反射された光の合成によって照明光を作り出していることから，このような反射，合成によって照射光中における明暗のむらが緩和されて明るさが平均化し，前述したマルチシャドーの発生を好適に防止することができるだけでなく，反射板６によって遮った直接光についても照明光の一部として使用したことから，光源で発生した光を効率良く利用することができるものとなっている。
【００６０】
なお，ＬＥＤ面光源４からの光をより効率良く利用するためには，ＬＥＤ面光源４よりフード７の内面に入射される光についても照明に利用することができるように構成する。
【００６１】
この場合，反射板６の周縁部を，図３に示す線Ｌ５，Ｌ６上の位置からさらに外周方向に拡大し，最大で線Ｌ３，Ｌ４上の位置に至る迄，反射板６を拡大する。
【００６２】
これにより，フード７の内壁で吸収され，照明に使用されていなかったＬＥＤ面光源４からの光についても第１回転放物面３２に向けて反射させることで，照明光の一部として使用することができ，同一輝度の光源を使用した場合であっても，より一層の明るさを得ることができる。
【００６３】
なお，上記説明では，本発明の構成をスポットライトに適用した場合を例として説明したが，本発明の構成はスポットライトに限定されず，ダウンライトやペンダントライト等であって集光型の屋内照明器具全般の構成に採用可能である。
【００６４】
また，本発明の屋内照明器具を例えば床面設置型の照明器具等として使用する場合には，図１〜５に示す屋内照明器具の構成を上下反転させた構成としても良い。
【符号の説明】
【００６５】
１  屋内照明器具（スポットライト）
２  光源支持体
２１  ＬＥＤ支持部
３  リフレクタ
３１  凹部
３２  第１回転放物面
３３  第２回転放物面
３４  連結部
３５  開口部
３５ａ  一端（リフレクタ開口部の）
３５ｂ  他端（リフレクタ開口部の）
３６  挿孔
３７  後方側端部
３７ａ  一端（後方側端部の）
３７ｂ  他端（後方側端部の）
４  ＬＥＤ面光源
４１  発光部
４１ａ  一端（発光部の）
４１ｂ  他端（発光部の）
５  ボディ
５１  円筒部
５２  光源支持体取付部
５３  リブ
５４  嵌合孔
６  反射板
６１  反射面
６２  中央部
６３  周縁部
７  フード
７１  開口部
７１ａ  一端（フード開口部の）
７１ｂ  他端（フード開口部の）
７２  凹凸部
１１１  遮光体
１１２  光源
２０５  反射器
２０７  ルーバー
２０９  ＬＥＤ
Ｏ  回転軸
Ｌ１〜Ｌ６  線
ｆ１  第１回転放物面の焦点
ｆ２  第２回転放物面の焦点
Ｄ    ファセット加工によるディンプル
【図１】
0005719127.tif 000002
【図２】
0005719127.tif 000003
【図３】
0005719127.tif 000004
【図４】
0005719127.tif 000005
【図５】
0005719127.tif 000006
【図６】
0005719127.tif 000007
【図７】
0005719127.tif 000008
【図８】
0005719127.tif 000009